(57)【特許請求の範囲】
【請求項１】
ベース（８１）を備え、該ベース（８１）から壁（Ｐ）に固定された支持体（９０）までフック要素（８９）が延びており、前記フック要素（８９）が、摺動部材（９３Ａ−Ｈ）にねじ込まれたスクリュー（９２）の頭部（９１）から構成され、前記摺動部材が、前記ベース（８１）の案内部材（９４）上で並進可能な摺動シート（１１２Ａ−Ｈ）を備えている、隠された吊り下げ用ブラケット（８０）であって、
前記摺動部材（９３Ａ−Ｈ）は、曲げられた粗裁断材（９５Ａ−Ｈ）で形成されており、
前記曲げられた粗裁断材は、中間の蝶番（９８Ａ−Ｈ）により相互に連結された２つの支持区分（９６Ａ−Ｈ、９７Ａ−Ｈ）を備え、一端部において、ねじ孔（１００Ａ−Ｈ）を有する舌部（９９Ａ−Ｈ）で終端されていることを特徴とする、隠された吊り下げ用ブラケット（８０）。
【請求項２】
前記粗裁断材（９５Ａ−Ｈ）が平坦であることを特徴とする、請求項１に記載の吊り下げ用ブラケット。
【請求項３】
前記粗裁断材（９５Ｄ）が、中央隆起部（１１４Ｄ）と２つの側部フラップ（１１５Ｄ）とを形成するように曲げられた支持区分（９６Ｄ）を有することを特徴とする、請求項１に記載の吊り下げ用ブラケット。
【請求項４】
蝶番（９８Ｅ）によって相互に連結された前記粗裁断材（９５）の支持区分（９６Ｅ）及び支持区分（９７Ｅ）が相反的にオフセット配置されて、前記ベース（８１）の案内部材（９４）上を摺動する摺動シート（１１２Ｅ）を定めており、端部区分（１１６Ｅ）が、支持区分（９７Ｅ）から延びる蝶番（１１７Ｅ）の周りで９０度に曲げられていることを特徴とする、請求項１に記載の吊り下げ用ブラケット。
【請求項５】
前記粗裁断材（９５Ａ−Ｈ）が、前記ベース（８１）の案内部材（９４）上で摺動する前記摺動シート（１１２Ａ−Ｈ）を定めるように曲げられていることを特徴とする、請求項１に記載の吊り下げ用ブラケット。
【請求項６】
前記粗裁断材が、前記支持区分（９６Ａ、Ｂ、Ｃ、Ｆ、Ｇ、９７Ａ、Ｂ、Ｃ，Ｆ、Ｇ）が平行に重ねられ、前記ベース（８１）の案内部材（９４）とほぼ同じ厚さの間隔「ｄ」をあけて配置されるように、前記蝶番の周りで曲げられていることを特徴とする、請求項１に記載の吊り下げ用ブラケット。
【請求項７】
外れ防止用止めねじ（１０８）及びスクリュー（９２）の両方が、前記支持区分（９６Ｇ、９７Ｇ）の両方にねじ込まれていることを特徴とする、請求項１及び請求項６に記載の吊り下げ用ブラケット。
【請求項８】
前記スクリュー（９２）のためのねじ孔（１０１Ａ−Ｈ、１０２Ａ−Ｈ）が、前記粗裁断材（９５Ａ−Ｈ）に形成されていることを特徴とする、請求項１に記載の吊り下げ用ブラケット。
【請求項９】
前記摺動部材（９３Ａ−Ｆ）を並進させる制御止めねじ（１１０）のためのねじ孔（１００Ａ−Ｈ）が、前記粗裁断材（９５Ａ−Ｈ）に形成されていることを特徴とする、請求項１に記載の吊り下げ用ブラケット。
【請求項１０】
外れ防止用止めねじ（１０８）のための同軸ねじ孔（１０４Ａ−Ｆ、１０７Ａ−Ｆ、１０３Ａ−Ｆ）が、前記粗裁断材（９５Ａ−Ｅ）に形成されていることを特徴とする、請求項１に記載の吊り下げ用ブラケット。
【請求項１１】
前記スクリュー（９２）のための貫通穴が、深絞りにより形成されたものであることを特徴とする、請求項１から請求項１０までのいずれか１項に記載の吊り下げ用ブラケット。
【発明の詳細な説明】
【技術分野】
【０００１】
本発明は、家具の部品のライニング後部に組み込まれ、家具の同じ部品の肩部に、或いは場合によっては上部に固定された隠された吊り下げ用ブラケットに関する。
【０００２】
更に詳細には、当該吊り下げ用ブラケットは、ベースを備え、吊り下げ用ブラケットのフック要素が該ベースから壁に取り付けられた支持部に延びる形式のものであり、例えば、プレート、棒、又はそれに類似するどのような形式でもよい。
【背景技術】
【０００３】
上述のフック要素は、水平方向に動くことができ、且つ垂直に動くことのできる摺動部材上に組み込まれており、このようにすることにより、その位置を深さ方向（水平方向）及び高さ方向（垂直方向方向）に調整することができる。
【０００４】
この形式の吊り下げ用ブラケットは、例えば、２０１１年３月２９日に本出願人により出願された特許文献１において説明され、図示されている。
【先行技術文献】
【特許文献】
【０００５】
【特許文献１】国際出願ＰＣＴ／ＥＰ２０１１／００１５９３
【発明の概要】
【発明が解決しようとする課題】
【０００６】
上記で概略的に説明されたような吊り下げ用ブラケットにおいて、ベース上に配置された摺動案内部材及び相対的案内部材は、特に吊り下げ用ブラケットがより大きな負荷を支持する必要がある場合には、システムの中の脆弱要素になる場合があることが分っている。
【０００７】
特に、摺動部材及び／又は案内部材の破損は、戸棚落下の原因となり、当然ながら、結果として物品及び／又は人を傷つける深刻な危険性をもたらす。
【課題を解決するための手段】
【０００８】
本発明の一般的な目的は、摺動部材が、何の問題もなく極めて苛酷な荷重及び応力にも耐えるような構造を有する、上述した形式の隠し吊り下げ用ブラケットを備えることにより、公知技術の欠点を克服することである。
【０００９】
上述の目的は、添付の請求項１及び従属請求項において特定された特徴を有する、吊り下げ用ブラケットによって達成される。
【図面の簡単な説明】
【００１０】
本発明の構造上及び機能上の特徴、及び従来の発明に対する利点は、本発明の様々な実施形態を示す添付図面を参照する以下の説明により明確にされる。
【図１】本発明により形成された吊り下げ用ブラケットを示す、図２の矢印Ａ方向に見た拡大正面図である。
【図２】図１のＩＩ−ＩＩ線に沿ってとった断面図である。
【図３】図１のＩＩＩ−ＩＩＩ線に沿ってとった断面図である。
【図４−５】各々が、図１−３の吊り下げ用ブラケットの外れ防止システムに取り付けられた摺動部材を示す、正面及び背後から見た２つの斜視図である。
【図６−１０】図４及び図５の摺動部材を等尺で示す５つの外観図である。
【図１１】図６のＢ−Ｂ線に沿ってとった断面図である。
【図１２】図６−１１の摺動部材を製造するための出発材料となる金属板を平坦に展開して示す図である。
【図１３−１４】各々が、外れ防止システムに取り付けられた摺動部材の第２の可能な実施形態を示す、正面及び背後から見た２つの斜視図である。
【図１５−１９】図１３及び図１４の摺動部材を等尺で示す５つの外観図である。
【図２０】図１５のＣ−Ｃ線に沿ってとった断面図である。
【図２１】図２０の拡大詳細図である。
【図２２】図１３−図２１の摺動部材を製造するための出発材料となる金属板を平坦に展開して示す図である。
【図２３−２４】各々が、外れ防止システムに取り付けられた摺動部材の第３の可能な実施形態を示す、正面及び背後から見た２つの斜視図である。
【図２５−２９】図２３及び図２４の摺動部材を等尺で示す５つの外観図である。
【図３０】図２５のＤ−Ｄ線に沿ってとった断面図である。
【図３１】図２３−３０の摺動部材を製造するための出発材料となる金属板を平坦に展開して示す図である。
【図３２−３５】図２３及び図２４の摺動部材を得るための、図３１で平坦に展開した（図示された）材料の折りたたみ段階を示す斜視図である。
【図３６−３９】図３２−図３５と同一の作動段階を示す断面図である。
【図４０−４１】各々が、外れ防止システムに取り付けられた摺動部材の第４の可能な実施形態を示す、正面及び背後から見た２つの斜視図である。
【図４２−４６】図４０及び図４１の摺動部材の外観を示す、５つの図である。
【図４７】図４２のＥ−Ｅ線に沿ってとった断面図である。
【図４８】図４５のＦ−Ｆ線に沿ってとった断面図である。
【図４９】図４８のスライドの、吊り下げ用ブラケットへの作用を示す図３と同様な断面図である。
【図５０】図４０−図４７の摺動部材を製造するための、平坦に展開した金属板を示す図である。
【図５１−５２】各々が、外れ防止システムに取り付けられた摺動部材の第５の可能な実施形態を示す、正面及び背後から見た２つの斜視図である。
【図５３−５７】図５１及び図５２の摺動部材の外観を示す、５つの図である。
【図５８】図５３のＦ−Ｆ線に沿ってとった断面図である。
【図５９】図５６のＧ−Ｇ線に沿ってとった断面図である。
【図６０】図５１−図５９の摺動部材を製造するための、平坦に展開した金属板を示す図である。
【図６１】吊り下げ用ブラケットに組み込まれた、図５１−図６０の摺動部材を示す、図１と同様な図である。
【図６２】図６１のＨ−Ｈ線に沿ってとった断面図である。
【図６３】図６１のＩ−Ｉ線に沿ってとった断面図である。
【図６４】図６２の摺動部材の拡大詳細図である。
【図６５−６６】各々が、外れ防止システムに取り付けられた摺動部材の第６の可能な実施形態を示す、正面及び背後から見た２つの斜視図である。
【図６７−７１】図６５―図６６の摺動部材の外観を示す、５つの図である。
【図７２】図６７のＬ−Ｌ線に沿ってとった断面図である。
【図７３】図７２の拡大詳細図である。
【図７４】図６５−図７３の摺動部材を製造するための、平坦に展開した金属板を示す図である。
【図７５−７６】各々が、外れ防止システムに取り付けられた摺動部材の第７の可能な実施形態を示す、正面及び背後から見た２つの斜視図である。
【図７７】図７５及び図７６の摺動部材の拡大正面図である。
【図７８】図７７のＭ−Ｍ線に沿ってとった断面図である。
【図７９】吊り下げ用ブラケットの高さ及び深さを制御するスクリューと、外れ防止ビードとともに組み込まれた摺動部材を示す、図７８と同様な断面図である。
【図８０−８１】各々が、外れ防止システムに取り付けられた摺動部材の第８の可能な実施形態を示す、正面及び背後から見た２つの斜視図である。
【図８２】図８０及び図８１の拡大正面図である。
【図８３】図８２のＮ−Ｎ線に沿ってとった断面図である。
【発明を実施するための形態】
【００１１】
図面のうち、主に図１−図３を参照すると、本発明による隠された吊り下げ用ブラケットは、全体が８０で示され、金属製フランジ又はベース８１を備え、これらは異なる幾何学的形状を有することができる。
【００１２】
上述のベース８１は、孔開き横方向上端部８２と、孔開き縦方向側部８３とを有し、これらは、それぞれスクリュー８４、８５によって家具Ｍ、例えば、部分的に図示された壁戸棚の上部８６及び肩部８７に固定されている。
【００１３】
図面の図２及び図３から明確に分るように、ベース８１は、戸棚Ｍのライニング８８の背後に設置され、更に、スクリュー８４が、上記ライニング８８を斜め方向に貫通している。
【００１４】
ベース８１は、スクリューの代わりに、該ベース８１から横方向に延びる釘によって肩部８７に固定されるようにしてもよい。
【００１５】
吊り下げ用ブラケット８０のフック要素８９が、ベース８１から、壁Ｐに固定された支持体９０に向けて垂直に延びる。
【００１６】
支持体９０は、どのような形式のものでもよく、例えば、プレート状、棒状又は同様の支持体のようなものとすることができる。フック要素８９は、スクリュー９２の頭部９１から構成され、矢印Ｆの方向に水平に、及び矢印Ｆ１の方向に垂直に並進することができる。
【００１７】
この目的のために、フック要素８９は、本発明の核である摺動部材９３Ａにねじ込まれ、該摺動部材９３Ａは、ベース８１上に間隙をあけて形成された一対の側面案内部材９４上を並進することができる。
【００１８】
図４−図１２は、本発明の新規の原理を取り入れた摺動部材９３Ａの第１実施形態を示す。
【００１９】
この摺動部材９３Ａは、単一の金属片構造で製造されており、平坦な粗裁断材９５Ａ（図１２）を出発材料として製造される。
【００２０】
粗裁断材９５Ａは、中間にある蝶番部分９８Ａによって相互に連結された２つの同様な支持区分９６Ａ、９７Ａを有し、一方の端部において舌部９９Ａで終端され、該舌部９９Ａにはねじ切りされた孔１００Ａが形成されている。
【００２１】
支持区分９６Ａ及び９７Ａは、対となった孔１０１Ａ、１０２Ａ、１０３Ａ、１０４Ａを有し、これらの孔は、それぞれ大きな直径と小さな直径とを有する。
【００２２】
上述の図１２に示す粗裁断材９６Ａは、蝶番部分９８Ａの周りで折りたたまれ、支持区分９６Ａ、９７Ａが、ベース８１の案内部材９４の厚さとほぼ同じ（図７、８、１０、及び１１）間隔「ｄ」の間隙をあけて平行に重なるように配置され、孔１０１Ａと１０２Ａ、及び１０３Ａと１０４Ａの対が対向し同軸となる（図１１）。
【００２３】
孔１０１Ａと１０２Ａの対及び孔１０４Ａは、１０５Ａ、１０６Ａ、及び１０７Ａ（図１１）のようにねじ切りされているが、以下に説明する理由から、孔１０３Ａはねじ切りされる必要がなく、同軸穴１０４Ａよりも大きな直径を有する。
【００２４】
前述の粗裁断材９５Ａに対する孔あけ、曲げ、及びねじ切り作業のために最も適した手順及び順序は、当業者には既知であり、従って、本発明の一部を構成するものではないので、ここではこれ以上詳細には説明しない。
【００２５】
図において明確に分るように、フック要素８９のスクリュー９２が、孔１０１Ａ及び１０２Ａにねじ込まれ、吊り下げ用ブラケットの外れ防止用ビードが（ねじ切りされていない孔１０３Ａを通って）孔１０４Ａにねじ込まれており、この目的のために、止めねじ１０８は、支持体９０のアンダーカット１０９に係合し、斜め方向の止めねじ１１０は、孔１００Ａにねじ込まれ、ベース８１上の対応するバッファ１１１に対接して回転することによって摺動部材９３Ａの並進を制御する。
【００２６】
フック要素８９の深さ方向（水平方向）及び高さ方向（垂直方向）位置を調節するための前述の機構は、当業者にとって既に明示されたように周知のものであるが、摺動部材９３Ａの構造は新規である。
【００２７】
より具体的には、平行に間隔をあけて重ねて配置された支持体９６Ａ、９７Ａは、ベース８１の案内部材９４上を摺動する連結シート１１２Ａを定め、該連結は、広い支持表面上に得られるので、大きな荷重に曝された場合にもシステムの安定性が保証される。
【００２８】
図１３−図２２に示された摺動部材９３Ｂは、摺動部材９３Ａとほぼ同等の一般構造を有する。
【００２９】
唯一の相違点は、ねじ部１０５Ｂが漏斗状の孔１０１Ｂを通して形成され、孔１０１Ａのねじ部１０５Ａよりも多くのねじ山を有することである。
【００３０】
これは、応力を受けたときのシステムの耐性を更に大きくすることを保証する。
【００３１】
その他の相違点は、孔１０１Ｂのフレア形シート１１３Ｂが、スクリュー９２の挿入を容易にすることである。
【００３２】
一方で、図２３−図３９の摺動部材９３Ｃの実施形態において、漏斗状の孔１０１Ｃは、より深く形成されており、支持区分９７内に配置されたより大きな直径を有するねじ切りされていない孔１１３Ｃに自由に挿入することが可能である。
【００３３】
図４０−図５０の摺動部材９３Ｄは、摺動部材９３Ａ−Ｃにおけるように、完全に平坦な粗裁断材を出発材料として製造されるのではなく、粗裁断材９５Ｄを出発材料として製造され、ここでは、区分９６Ｄが折りたたまれ、これによって中央隆起部１１４Ｄと２つの側部フラップ１１５Ｄとが定められる。
【００３４】
支持区分９６Ｄ及び９７Ｄは、図４７及び図４８から明らかなように、互いに重なって折りたたまれ、これによってベース８１の案内部材上で摺動する側部シート１１２を定める。
【００３５】
図５１−図６４の摺動部材９３Ｅは、粗裁断材９５Ｅを出発材料として製造され、該摺動部材の支持区分９６Ｅ及び９７Ｅが、蝶番部分９８Ｅによって互いに連結されており、相互に重なるように折りたたまれるのではなく、相反的にオフセット配置（図５１及び図５２）にされ、これによってベース８１の案内部材９４の摺動シートを定める。この目的のために、終端停止区分１１６Ｅが支持区分９６Ｅから延び、蝶番１１７Ｅの周りで９０度に曲げられる（図６４）。
【００３６】
図６５−図７４は、図１３及び図２２の摺動部材９３Ｂとほぼ同一で、唯一の相違点は、外れ防止用止めねじ１０８のための孔１０４が無いことである。
【００３７】
図７５−図７９の摺動部材９３Ｇは、外れ防止用止めねじ１０８のための挿入孔が１０４Ｇのようにねじ切りされることも想起される。その結果として、止めねじ１０８及びスクリュー９２が摺動部材９３Ｇ上の作動位置にねじ込まれたときに、止めねじ１０８及びスクリュー９２は、間隔をあけて配置された支持区分９６Ｇ、９７Ｇを相互に連結することにより、出発裁断材が比較的薄い場合でも、剛性があり極めて頑丈な構造を構成する。
【００３８】
一方で、図８０−図８３の摺動部材Ｈは、外れ防止用ビードを挿入するための孔１０３Ａ（図４−図１２の実施形態に示されている）が一切備えられていない。従って、支持体９６Ｈは、図面から明らかに分るように長さがより短くなる。
【００３９】
前述の説明において示された目的はこのようにして達成される。
【００４０】
従って、本発明の保護範囲は、添付の請求項により限定される。
【符号の説明】
【００４１】
８１  ベース
８９  フック要素
９０  支持体
９２  スクリュー
９３  摺動部材
９４  案内部材
９５  粗裁断材
９６，９７  支持区分
９８  蝶番
９９  舌部
１００  ねじ孔
１０８  外れ防止用止めねじ
【図１】
0006050809.tif 000002
【図２】
0006050809.tif 000003
【図３】
0006050809.tif 000004
【図４】
0006050809.tif 000005
【図５】
0006050809.tif 000006
【図６】
0006050809.tif 000007
【図７】
0006050809.tif 000008
【図８】
0006050809.tif 000009
【図９】
0006050809.tif 000010
【図１０】
0006050809.tif 000011
【図１１】
0006050809.tif 000012
【図１２】
0006050809.tif 000013
【図１３】
0006050809.tif 000014
【図１４】
0006050809.tif 000015
【図１５】
0006050809.tif 000016
【図１６】
0006050809.tif 000017
【図１７】
0006050809.tif 000018
【図１８】
0006050809.tif 000019
【図１９】
0006050809.tif 000020
【図２０−２１】
0006050809.tif 000021
【図２２】
0006050809.tif 000022
【図２３】
0006050809.tif 000023
【図２４】
0006050809.tif 000024
【図２５】
0006050809.tif 000025
【図２６】
0006050809.tif 000026
【図２７】
0006050809.tif 000027
【図２８】
0006050809.tif 000028
【図２９】
0006050809.tif 000029
【図３０】
0006050809.tif 000030
【図３１】
0006050809.tif 000031
【図３２】
0006050809.tif 000032
【図３３】
0006050809.tif 000033
【図３４】
0006050809.tif 000034
【図３５】
0006050809.tif 000035
【図３６】
0006050809.tif 000036
【図３７】
0006050809.tif 000037
【図３８】
0006050809.tif 000038
【図３９】
0006050809.tif 000039
【図４０】
0006050809.tif 000040
【図４１】
0006050809.tif 000041
【図４２】
0006050809.tif 000042
【図４３】
0006050809.tif 000043
【図４４】
0006050809.tif 000044
【図４５】
0006050809.tif 000045
【図４６】
0006050809.tif 000046
【図４７】
0006050809.tif 000047
【図４８】
0006050809.tif 000048
【図４９】
0006050809.tif 000049
【図５０】
0006050809.tif 000050
【図５１】
0006050809.tif 000051
【図５２】
0006050809.tif 000052
【図５３】
0006050809.tif 000053
【図５４】
0006050809.tif 000054
【図５５】
0006050809.tif 000055
【図５６】
0006050809.tif 000056
【図５７】
0006050809.tif 000057
【図５８】
0006050809.tif 000058
【図５９】
0006050809.tif 000059
【図６０】
0006050809.tif 000060
【図６１】
0006050809.tif 000061
【図６２】
0006050809.tif 000062
【図６３】
0006050809.tif 000063
【図６４】
0006050809.tif 000064
【図６５】
0006050809.tif 000065
【図６６】
0006050809.tif 000066
【図６７】
0006050809.tif 000067
【図６８】
0006050809.tif 000068
【図６９】
0006050809.tif 000069
【図７０】
0006050809.tif 000070
【図７１】
0006050809.tif 000071
【図７２−７３】
0006050809.tif 000072
【図７４】
0006050809.tif 000073
【図７５】
0006050809.tif 000074
【図７６】
0006050809.tif 000075
【図７７】
0006050809.tif 000076
【図７８】
0006050809.tif 000077
【図７９】
0006050809.tif 000078
【図８０】
0006050809.tif 000079
【図８１】
0006050809.tif 000080
【図８２】
0006050809.tif 000081
【図８３】
0006050809.tif 000082